(57)【要約】【課題】圃場に植え付ける植付物の向き（姿勢）を維持した状態で搬送することができる植付装置を提供すること。【解決手段】植付装置は、植付物を圃場に植え付ける植付部と、前記植付物を前記植付部に向けて搬送するコンベアと、を備えている。前記コンベアは、前記植付物を当該コンベアの幅方向の一方側と他方側から支持し且つ当該コンベアの搬送方向に沿って移動する支持部を有している。支持部は、弾性体から構成することができる。【選択図】図５Ａ
2018102190.tif 000002
【特許請求の範囲】
【請求項１】
植付物を圃場に植え付ける植付部と、
前記植付物を前記植付部に向けて搬送するコンベアと、
を備え、
前記コンベアは、前記植付物を当該コンベアの幅方向の一方側と他方側から支持し且つ当該コンベアの搬送方向に沿って移動する支持部を有している植付装置。
【請求項２】
前記支持部は、弾性体を有している請求項１に記載の植付装置。
【請求項３】
前記弾性体は、前記コンベアの搬送方向に沿って所定間隔で設けられた第１弾性体を含む請求項２に記載の植付装置。
【請求項４】
前記弾性体は、前記コンベアの搬送方向に沿って延び、前記第１弾性体が取り付けられ且つ取付けられた第１弾性体を移動させる第２弾性体を含んでいる請求項３に記載の植付装置。
【請求項５】
前記支持部は、前記第１弾性体が取り付けられ且つ前記第１弾性体を移動させる移動体を含んでいる請求項３に記載の植付装置。
【請求項６】
前記第１弾性体は、前記コンベアの幅方向の一方側で隆起する第１隆起部と、前記コンベアの幅方向の他方側で隆起する第２隆起部とを含む請求項３〜５のいずれか１項に記載の植付装置。
【請求項７】
前記第１弾性体は、前記コンベアの幅方向の一方側で隆起する第１隆起部と、前記コンベアの幅方向の他方側で隆起する第２隆起部とを含み、
前記第１隆起部は、前記コンベアの幅方向の一方側に位置する前記第２弾性体に巻きつけられ、前記第２隆起部は、前記コンベアの幅方向の他方側に位置する前記第２弾性体に巻きつけられている請求項４に記載の植付装置。
【請求項８】
前記第１弾性体は、前記コンベアの幅方向の一方側で隆起する第１隆起部と、前記コンベアの幅方向の他方側で隆起する第２隆起部とを含み、
前記第１隆起部は、前記コンベアの幅方向の一方側に位置する前記移動体に巻きつけられ、前記第２隆起部は、前記コンベアの幅方向の他方側に位置する前記移動体に巻きつけられている請求項５に記載の植付装置。
【請求項９】
前記弾性体は、前記コンベアの搬送方向に沿って延びる第２弾性体を含む請求項２に記載の植付装置。
【請求項１０】
前記支持部は、前記第２弾性体が取り付けられ且つ取付けられた第２弾性体を移動させる移動体を含んでいる請求項９に記載の植付装置。
【請求項１１】
前記第２弾性体は、前記コンベアの幅方向の一方側と他方側との間に形成された空隙部を有している請求項９又は１０に記載の植付装置。
【請求項１２】
前記第２弾性体は、前記コンベアの幅方向の一方側と他方側との間を連結する連結部を有している請求項９又は１０に記載の植付装置。
【請求項１３】
前記コンベアの幅方向の一方側と他方側に夫々立ち上げられた側壁と、
前記支持部に所定間隔で取り付けられて、前記側壁と共に前記植付物が供給される区画
を前記搬送方向に沿って複数形成する区画板と、
を備えている請求項１〜１２のいずれか１項に記載の植付装置。
【発明の詳細な説明】
【技術分野】
【０００１】
本発明は、植付物を圃場に植え付ける植付装置に関する。
【背景技術】
【０００２】
従来、特許文献１に開示された植付装置が知られている。
特許文献１に開示された植付装置は、植付物（種芋）の搬送部を備えている。
搬送部は、植付物を載置する搬送面を有するベルトコンベアと、搬送面を等間隔で仕切る仕切り板とを有している。植付物は、仕切り板で区画された搬送面の複数の区画に１つずつ載置された状態で、ベルトコンベアの移動によって搬送される。
【先行技術文献】
【特許文献】
【０００３】
【特許文献１】特開平１０−１６４９１３号公報
【発明の概要】
【発明が解決しようとする課題】
【０００４】
しかしながら、上述した植付装置の搬送部では、植付物はベルトコンベアの搬送面に載置されるだけであるため、植付物の向き（姿勢）を維持した状態で搬送することが難しい。そのため、多数の植付物を連続的に搬送したときに、植付物の向きが一律に定まらず、向きがばらついた状態で植え付けられてしまう。植付物の種類や形状、圃場の状態等によっては、植付物の向きがばらつくと植え付けが良好に行えない虞がある。
【０００５】
本発明は、このような実情に鑑みて、植付物の向き（姿勢）を維持した状態で搬送することができる植付装置を提供することを目的とする。
【課題を解決するための手段】
【０００６】
本発明は、上記目的を達成するために以下の技術的手段を採用する。
本発明の一態様に係る植付装置は、植付物を圃場に植え付ける植付部と、前記植付物を前記植付部に向けて搬送するコンベアと、を備え、前記コンベアは、前記植付物を当該コンベアの幅方向の一方側と他方側から支持し且つ当該コンベアの搬送方向に沿って移動する支持部を有している。
【発明の効果】
【０００７】
上記植付装置によれば、コンベアの支持部によって植付物を支持して搬送することが可能であるため、植付物の向き（姿勢）を維持した状態で搬送することができる。
【図面の簡単な説明】
【０００８】
【図１】植付装置を備えた作業機の側面図である。
【図２】植付装置の平面図である。
【図３】植付装置の斜視図である。
【図４】植付装置の部分拡大側面図である。
【図５Ａ】第１搬送部を示す平面図である。
【図５Ｂ】支持部の斜視図である。
【図６】図５ＡのＡ−Ａ断面図である。
【図７】図５ＡのＢ−Ｂ断面図である。
【図８】第２搬送部を示す背面図である。
【図９】図８のＣ−Ｃ断面図である。
【図１０】第２搬送部及び植付部付近の側面図である。
【図１１Ａ】支持部の第１変形例の斜視図である。
【図１１Ｂ】支持部の第２変形例の斜視図である。
【図１２】第２変形例における搬送物を搬送する状態を説明する図である。
【図１３】支持部の第３変形例の斜視図である。
【図１４】支持部の第４変形例の斜視図である。
【図１５Ａ】支持部の第５変形例の斜視図である。
【図１５Ｂ】支持部の第６変形例の斜視図である。
【発明を実施するための形態】
【０００９】
以下、本発明に係る植付装置の好適な実施形態について、適宜図面を参照しながら説明する。本発明に係る植付装置は、圃場に植付物を植え付ける装置である。
植付装置により圃場に植え付けられる植付物は、特に限定されないが、例えば、ウド（独活）の根株や、ジャガイモやサツマイモ等の種芋等が挙げられる。本発明に係る植付装置は、特に、ウドの根株を植え付ける植付装置として好適に使用される。
【００１０】
図１は、本発明の一実施形態に係る植付装置を備えた作業機１を示している。作業機１は、植付装置２と走行車両３とを備えている。走行車両３の種類は限定されないが、本実施形態の場合、走行車両３はトラクタである。
図１に示すように、トラクタ（走行車両）３は、運転席４と、走行装置５と、連結装置６と、を備えている。
【００１１】
本発明の実施形態において、走行車両３の運転席４に着座した運転者の前側（図１の左側）を前方、運転者の後側（図１の右側）を後方、運転者の左側（図１の手前側）を左方、運転者の右側（図１の奥側）を右方として説明する。また、前後方向Ｋ１に直交する方向である水平方向Ｋ２（図２参照）を機体幅方向として説明する。
図１〜図４等に示すように、植付装置２は、機体７と、車輪８と、搬送部９と、植付部１０と、連結部１１と、を備えている。
【００１２】
図３、図４に示すように、機体７は、下部フレーム７１と、上部フレーム７２と、中間フレーム７３と、を有している。
下部フレーム７１は、機体７の下部に配置されている。下部フレーム７１の下方には、車輪８の回転軸８１が回転可能に支持されている。下部フレーム７１は、第１下部材７１１と、第２下部材７１２と、第３下部材７１３と、を有している。
【００１３】
第１下部材７１１は、機体幅方向に互いに間隔を空けて配置された３本の長尺部材から構成されている。３本の第１下部材１１１は、互いに平行に配置されて前後方向に延びている。図３、図４では、３本の第１下部材７１１のうち、最も左側に位置する部材のみが見えている。
図３、図４に示すように、第２下部材７１２は、機体７の後部において機体幅方向に延びており、３本の第１下部材７１１の後部を連結している。第３下部材７１３は、３本の第１下部材７１１の前部を連結するとともに、第１下部材７１１から前方に向けて延びている。図２〜図４に示すように、第３下部材７１３の前部には、縦方向（上下方向）に延びる縦柱３１が設けられている。縦柱３１には、連結部１１が着脱可能に連結されている。第３下部材７１３の前後方向の中途部（縦柱３１の後方）には、縦方向に延びる筒体３２が設けられている。筒体３２には、後述する植付部１０の取付部１０ｂが挿入されて取り付けられている。
【００１４】
図３、図４に示すように、上部フレーム７２は、機体７の上部に配置されている。上部フレーム７２は、第１上部材７２１と第２上部材７２２とを有している。第１上部材７２１は、搬送部９を支持している。第２上部材７２２は、後述する載置台３３を支持している。第１上部材７２１及び第２上部材７２２は、下部フレーム７１の上方に配置されており、前後方向に延びている。第１上部材７２１は、機体７の左側と右側とに夫々配置されている。図３には右側の第１上部材７２１が示されており、図４には左側の第１上部材７２１が示されている。第２上部材７２２は、機体７の左側に配置されており、左側の第１上部材７１１の上方に位置している。
【００１５】
図３、図４に示すように、中間フレーム７３は、縦方向（上下方向）に延びており、下部フレーム７１と上部フレーム７２とを連結している。中間フレーム７３は、第１中間部材７３１と、第２中間部材７３２と、を有している。第１中間部材７３１は、第２下部材７１２の前部と第１上部材７２１の前部とを連結している。第２中間部材７３２は、機体幅方向に間隔をあけて配置された２本の柱状部材から構成されており、第１中間部材７３１の後方に位置している。２本の第２中間部材７３２は、機体７の左側と右側に夫々設けられており、第１下部材７１１から上方に延びている。左側と右側の第２中間部材７３２の上部は、機体幅方向に延びる連結部材７４により連結されている。連結部材７４は、左側と右側の第１上部材７２１を支持している。
【００１６】
図３、図４に示すように、機体７の下部には車輪８が設けられている。車輪８は、機体７の左部と右部に夫々設けられている。車輪８は、植付装置２がトラクタ３に牽引されて走行するときに、接地して回転する。左部の車輪８と右部の車輪８とは、回転軸８１により連結されており、同期して回転する。
図１〜図３に示すように、連結部１１は、機体７の前部に設けられている。連結部１１は、トラクタ３の後部に設けられた連結装置６に対して着脱可能に連結される。これにより、植付装置２をトラクタ３に牽引させて走行させることができる。
【００１７】
図２、図３に示すように、連結部１１は、取付体１２と連結体１３とを有している。
取付体１２は、取付杆１２ａと、前取付部１２ｂと、上取付部１２ｃとを有している。取付杆１２ａは、機体７の前部に設けられた縦柱３１に取り付けられており、機体幅方向に延びている。取付杆１２ａの右部には支持杆４３が取り付けられている。支持杆４３は、取付杆１２ａの右部から後方に延びている。支持杆４３の後部には、後述する椅子３４が取り付けられている。前取付部１２ｂは、機体幅方向に間隔をあけて２つ設けられており、取付杆１２ａから前方に延びている。図２には右側の前取付部１２ｂが見えており、図４には左側の前取付部１２ｂが見えている。上取付部１２ｃは、取付杆１２ａから上方に突出しており、機体幅方向Ｋ２において２つの前取付部１２ｂの中間に位置している。
【００１８】
連結体１３は、横部材１３ａと、後取付部１３ｂと、第１連結部１３ｃと、第２連結部１３ｄと、接続部材１３ｅと、を有している。横部材１３ａは、取付体１２の前方に配置されており、機体幅方向に延びている。後取付部１３ｂは、機体幅方向に間隔をあけて２つ設けられており、横部材１３ａから後方に向けて延びている。後取付部１３ｂは、取付体１２の前取付部１２ｂにボルト等で取り付けられている。第１連結部１３ｃは、横部材１３ａの一端側（左側）と他端側（右側）に夫々設けられており、左方と右方に突出している。第２連結部１３ｄは、横部材１３ａの上方に配置されている。第２連結部１３ｄは、横部材１３ａに取り付けられると共に、接続部材１３ｅにより取付体１２の上取付部１２ｃにも取り付けられている。
【００１９】
図１に示すように、第１連結部１３ｃは、トラクタ３の連結装置６を構成する３点リンク機構のロアリンク６１に連結される。第２連結部１３ｄは、連結装置６のトップリンク６２に連結される。これにより、植付装置２の連結部１１がトラクタ３の連結装置６に対して連結される。
図４に示すように、搬送部９は、植付物を搬送するコンベア９０と、コンベア９０を駆動（回転）させる第１駆動機構９１及び第２駆動機構９２とを有している。
【００２０】
第１駆動機構９１は、第１スプロケット９ａと、第２スプロケット９ｂと、第３スプロケット９ｃと、これらのスプロケットに掛け渡されたチェーン９ｄとを有している。第１スプロケット９ａは、車輪８の回転軸８１に取り付けられており、回転軸８１と共に回転する。第２スプロケット９ｂは、第１中間部材７３１の下部に取り付けられている。第３スプロケット９ｃは、第１上部材７２１の下部に付勢部材（引っ張りバネ）９ｈを介して取り付けられている。付勢部材９ｈは、第３スプロケット９ｃを上方に向けて付勢している。これにより、第１スプロケット９ａ〜第３スプロケット９ｃに掛け渡されたチェーン９ｄに張力が加えられ、チェーン９ｄの弛みが防止される。
【００２１】
第２駆動機構９２は、第１プーリ９ｅと、第２プーリ９ｆと、第３プーリ９ｇとを有している。第１プーリ９ｅは、第２スプロケット９ｂの回転軸に取り付けられており、第２スプロケット９ｂと共に回転する。第２プーリ９ｆは、第１上部材７２１の前部に取り付けられており、第１プーリ９ｅの上方且つ後方に位置している。第３プーリ９ｇは、第１上部材７２１の後部に取り付けられており、第２プーリ９ｆの後方に位置している。
【００２２】
コンベア９０は、植付物Ｐを植付部１０に向けて搬送する。本実施形態の場合は、コンベア９０としてベルトコンベアが使用されている。
コンベア９０は、コンベア本体１５と支持部１６とを有している。本実施形態の場合、コンベア本体１５は、ループ状（無端状）に構成された帯状体（ベルト）である。コンベア本体１５は、例えばゴム等の弾性体から構成されている。
【００２３】
コンベア本体１５は、第１プーリ９ｅと第２プーリ９ｆと第３プーリ９ｇとに亘って掛け渡されている。これにより、コンベア本体１５は、第１プーリ９ｅと第２プーリ９ｆとの間の第１区間９０Ａと、第２プーリ９ｆと第３プーリ９ｇとの間の第２区間９０Ｂと、第３プーリ９ｇと第１プーリ９ｅとの間の第３区間９０Ｃと、に亘ってループ状に延びている。
【００２４】
第１区間９０Ａでは、コンベア９０は前後方向に延びている。第２区間９０Ｂでは、コンベア９０は上方から下方に向けて（詳しくは、上方から下方に向かうにつれてやや前方に移行するように）延びている。第３区間９０Ｃでは、コンベア９０は前下方から後上方に向けて延びている。
植付装置２の走行（前進）に伴って車輪８が回転すると、車輪８の回転軸８１と共に第１スプロケット９ａが車輪８と同方向に回転する。第１スプロケット９ａが回転すると、チェーン９ｄと共に第２スプロケット９ｂ及び第３スプロケット９ｃが回転し、第２スプロケット９ｂの回転軸に取り付けられた第１プーリ９ｅが回転する。第１プーリ９ｅが回転すると、第２プーリ９ｆ及び第３プーリ９ｇと共にコンベア９０が回転する。このように、植付装置２の走行に伴ってコンベア９０が回転するため、コンベア９０により植付物を搬送することができる。
【００２５】
コンベア９０の回転方向は、車輪８の回転方向と同方向となる。そのため、コンベア９０は、第１区間９０Ａでは後方から前方に向けて移動し、第２区間９０Ｂでは上方から下方（具体的には、後上方から前下方）に向けて移動し、第３区間９０Ｃでは前下方から後上方に向けて移動する。
植付物は、第１区間９０Ａにおいて後方から前方に向けて搬送された後、第２区間９０Ｂにおいて上方から下方に向けて搬送される。以下、搬送部９のうち、植付物を後方から前方に向けて搬送する部分を「第１搬送部１４」と称し、植付物を上方から下方に向けて搬送する部分を「第２搬送部２２」と称する。
【００２６】
第１搬送部１４は、コンベア９０と、第１カバー体１９とを有している。
図５Ａ及び図５Ｂ、図６、図７に示すように、第１搬送部１４において、コンベア９０は、搬送される植付物Ｐを支持する支持部１６を有している。支持部１６は、コンベア本体１５の外面（表面）に設けられており、コンベア９０の搬送方向Ｅに沿ってコンベア本体１５と共に移動する。なお、支持部１６は、コンベア９０を介さずに第１駆動機構９１及び第２駆動機構９２によって、搬送方向Ｅに移動する構造であってもよい。支持部１６は、植付物Ｐをコンベア９０の幅方向Ｄ（搬送方向Ｅと直交する方向）の一方側と他方側から支持する。
【００２７】
本実施形態の場合、支持部１６は、弾性体を有している。図５Ａ及び図５Ｂに示すように、弾性体は、第１弾性体１８と第２弾性体１７とを含んでいる。
第１弾性体１８は、コンベア９０の搬送方向Ｅに沿って所定間隔で設けられている。本実施形態では、第１弾性体１８は、コンベア９０の幅方向Ｄに沿って延びる帯状の弾性体である。第１弾性体１８は、例えば、スポンジ（発泡ポリウレタン）等から構成される。
【００２８】
第２弾性体１７は、コンベア９０の幅方向の一方側と他方側に夫々設けられており、コンベア９０の搬送方向Ｅに沿って延びている。第２弾性体１７には、第１弾性体１８が取り付けられ、当該第１弾性体１７をコンベア９０の搬送方向Ｅに移動させる。以下、便宜上、前記一方側に設けられた第２弾性体を「第２弾性体１７Ａ」と記し、前記他方側に設けられた第２弾性体を「第２弾性体１７Ｂ」と記して詳しく説明する。
【００２９】
第２弾性体１７Ａ，１７Ｂは、ゴム等の中空管（円筒状の管）から構成され、夫々ループ状であって、コンベア本体１５の外面に沿って巻き掛けられている。第２弾性体１７Ａには、第１弾性体１８の一方側が取り付けられ、第２弾性体１８Ｂには、第１弾性体１８の他方側が取り付けられ、当該第２弾性体１７Ａ，１７Ｂによって、第１弾性体１８がコンベア９０の搬送方向Ｅに移動する。
【００３０】
図６、図７に示すように、第１弾性体１８は、コンベア９０の幅方向Ｄの一方側で隆起する第１隆起部１８Ａと、コンベア９０の幅方向Ｄの他方側で隆起する第２隆起部１８Ｂと、を有している。第１隆起部１８Ａと第２隆起部１８Ｂとの間には、第１隆起部１８Ａ及び第２隆起部１８Ｂよりも高さが低い凹み部１８Ｃが形成されている。
図６に示すように、第１隆起部１８Ａは、第１弾性体１８の一端側が第２弾性体１７Ａに巻き付けられることにより当該第２弾性体１７Ａに取付けられている。第２隆起部１８Ｂは、第１弾性体１８の他端側が第２弾性体１７Ｂに巻き付けられることにより当該第２弾性体１７Ｂに取付けられている。第１弾性体１８は、第２弾性体１７Ａ，１７Ｂに対して、コンベア９０の幅方向Ｄの内方から外方に向かうように且つ下方から上方に向かうように巻き付けられている。第１弾性体１８の一端部と他端部との間に凹み部１８Ｃが形成されている。
【００３１】
図６に示すように、第１隆起部１８Ａと第２隆起部１８Ｂとの間隔（第１弾性体１８の一端部と他端部との間の距離）Ｄ１は、植付物Ｐの幅（コンベア９０の幅方向Ｄに沿う長さ）Ｄ２よりも小さく設定することが好ましい。言い換えれば、第１隆起部１８Ａと第２隆起部１８Ｂとの間隔Ｄ１は、植付物Ｐが第１隆起部１８Ａと第２隆起部１８Ｂの上に乗ることができる間隔に設定することが好ましい。
【００３２】
第１弾性体１８は、第２弾性体１７Ａ，１７Ｂに沿って搬送方向Ｅに移動可能（位置調整可能）である。これにより、植付物の種類、大きさ、形状等に応じて、搬送方向Ｅに隣り合う第１弾性体１８の間隔を調整することができる。搬送方向Ｅに隣り合う第１弾性体１８の間隔は、搬送方向Ｅの全長において等しく設定してもよいし、搬送方向の一部又は全部において異ならせてもよい。
【００３３】
また、第１隆起部１８Ａと第２隆起部１８Ｂとは、弾性体から構成された連結部１８Ｄによって連結されている。連結部１８Ｄは、第１隆起部１８Ａと第２隆起部１８Ｂと同様の素材で構成されている。連結部１８Ｄは、第１隆起部１８Ａにおいて上面１５ａに対向する側（下部側）と、第２隆起部１８Ｂにおいて上面１５ａに対向する側（下部側）とを連結している。連結部１８Ｄの幅は、第１隆起部１８Ａ及び第２隆起部１８Ｂの幅（コンベア９０の搬送方向Ｅに沿う幅）と略同一である。
【００３４】
植付物Ｐは、第１弾性体１８の第１隆起部１８Ａと第２隆起部１８Ｂとの間（凹み部１８Ｃ）であって且つ第２弾性体１７Ａと第２弾性体１７Ｂとの間に供給される。
植付物Ｐが供給されると、第１弾性体１８及び第２弾性体１７Ａ，１７Ｂは、植付物Ｐの重量を受けて押圧されて弾性変形し（凹み）、植付物Ｐはコンベア本体１５の上面１５ａに向けて下降する（図６の仮想線参照）。そのため、植付物Ｐは、第１弾性体１８及び第２弾性体１７Ａ，１７Ｂの弾性力（変形状態から復元しようとする力）により、コンベア９０の幅方向Ｄの一方側と他方側から支持される。これにより、コンベア９０は、植付物Ｐを第２弾性体１７Ａ，１７Ｂ及び第１弾性体１８により支持した状態で搬送することができる。
【００３５】
ここで、図５Ａに示すように、第１弾性体１８は、コンベア９０の搬送方向Ｅに沿って所定間隔で設けられている。そのため、搬送方向Ｅに隣り合う第１弾性体１８の間には凹部（低い部分）２１が形成される。植付物Ｐは、自然物であるため、搬送方向に太さのばらつきがあったり、隆起部分があったりする。そのため、植付物Ｐの太い部分や隆起部分を凹部２１に位置させることで、植付物Ｐを安定して支持することができる。また、第１弾性体１８を、第２弾性体１７Ａ，１７Ｂに沿って搬送方向Ｅに移動させることが可能であるため、植付物Ｐの種類、大きさ、形状等に応じて、凹部２１の広さや位置を調整することができる。
【００３６】
第１搬送部１４におけるコンベア９０の高さは、第１弾性体１８の第１隆起部１８Ａ及び第２隆起部１８Ｂが最も高く、次いで第２弾性体１７Ａ，１７Ｂが高く、次いで第１隆起部１８Ａと第２隆起部１８Ｂとの間の凹み部１８Ｃが高く、隣り合う第１弾性体１８の間であって且つ第２弾性体１７Ａと第２弾性体１７Ｂの間が最も低い。つまり、コンベア９０の幅方向Ｄと搬送方向Ｅの両方に高低差（凹凸）が形成されている。
【００３７】
図５Ａ等に示すように、第１カバー体１９は、側壁（第１側壁１９ａ、第２側壁１９ｂ）と、前連結部１９ｃと、後連結部１９ｄとを有している。第１側壁１９ａは、コンベア９０の幅方向Ｄの一方側において立ち上がっている。第２側壁１９ｂは、コンベア９０の幅方向Ｄの他方側において立ち上がっている。第１側壁１９ａ及び第２側壁１９ｂは、対向して配置されており、コンベア９０の搬送方向Ｅ（前後方向）に沿って延びている。図３、図４に示すように、第１側壁１９ａ及び第２側壁１９ｂは、第１上部材７２１の前部に固定された前支持部材２６と、第１上部材７２１の後部に固定された後支持部材２７とにより支持されている。前連結部１９ｃは、第１側壁１９ａの前上端と第２側壁１９ｂの前上端とを連結している。後連結部１９ｄは、第１側壁１９ａの後上端と第２側壁１９ｂの後上端とを連結している。
【００３８】
図５Ａに示すように、区画板２０は、支持部１６の第２弾性体１７Ａ，１７Ｂに対して搬送方向Ｅに所定間隔で取り付けられている。具体的には、図７に示すように、区画板２０に、コンベア９０の幅方向Ｄに間隔をあけて２つの貫通穴２０ａ，２０ｂが設けられており、当該貫通穴２０ａ，２０ｂに第２弾性体１７Ａ，１７Ｂを構成する管が夫々挿通されている。
【００３９】
区画板２０は、第１側壁１９ａの内面近傍から第２側壁１９ｂの内面近傍に亘って設けられている。区画板２０は、側壁（第１側壁１９ａ、第２側壁１９ｂ）と共に、植付物Ｐが供給される区画Ｒを搬送方向Ｅに沿って複数形成している。本実施形態の場合、区画板２０は、等間隔で配置されており、複数の区画Ｒは同じ大きさ（容積）となっている。１つの区画Ｒに対して予め決められた数（例えば１つ）の植付物Ｐが供給される。これにより、植付物Ｐは、概ね等間隔でコンベア９０に供給される。
【００４０】
区画板２０は、第２弾性体１７Ａ，１７Ｂに対して搬送方向Ｅに移動可能（位置調整可能）とされている。これにより、植付物Ｐの種類、大きさ、形状等に応じて、区画Ｒの大きさを調整することができ、植付物Ｐの植付間隔を調整することもできる。図６に示すように、コンベア本体１５の外面１５ａからの区画板２０の高さＨ１は、当該外面１５ａからの支持部１６の最大高さＨ２よりも高く設定されている。これにより、区画Ｒ内に供給された植付物Ｐが、搬送途中に区画Ｒから離脱することが防止できる。
【００４１】
第１搬送部１４により搬送された植付物Ｐは、引き続いて第２搬送部２２により搬送される。第２搬送部２２は、第１搬送部１４の前端（第１区間９０Ａの終端）まで搬送されてきた植付物Ｐを、上方から下方に向けて搬送して植付部１０まで導く。
図８〜図１０に示すように、第２搬送部２２は、コンベア９０と、第２カバー体２３と、保持部２４と、規制部２５と、を有している。
【００４２】
第２搬送部２２において、コンベア９０は、搬送される植付物Ｐを支持する支持部１６を有している。第２搬送部２２の支持部１６の構成は、上述した第１搬送部１４の支持部１６の構成と同じである。支持部１６はコンベア９０の搬送方向Ｅに沿って所定間隔で設けられており、第１区間９０Ａに位置するコンベア９０（支持部１６を含む）が第１搬送部１６を構成し、第２区間９０Ｂに位置するコンベア９０（支持部１６を含む）が第２搬送部２２を構成している。以下、第２搬送部２２について、第１搬送部１４と同じ構成には同じ符号を付して説明を省略する。
【００４３】
図１０に示すように、第２搬送部２２において、コンベア９０は上方から下方に向けて（詳しくは、上方から下方に向かうにつれて前方に移行するように）延びている。
図８等に示すように、第２カバー体２３は、第１側板２３ａと、第２側板２３ｂと、連結部２３ｃと、を有している。第１側板２３ａは、コンベア９０の幅方向Ｄの一方側に配置されている。第２側板２３ｂは、コンベア９０の幅方向Ｄの他方側に配置されている。第１側板２３ａ及び第２側板２３ｂは、コンベア９０を挟んで対向して配置され、コンベア９０の搬送方向Ｅ（上下方向）に沿って延びている。図３、図１０に示すように、第１側板２３ａ及び第２側板２３ｂの上部は、第１上部材７２１の前部に固定された前支持部材２６により支持されている。第１側板２３ａ及び第２側板２３ｂの下部は、第３下部材７１３に固定された下支持部材２８により支持されている。連結部２３ｃは、第１側板２３ａと第２側板２３ｂとを連結している。
【００４４】
図９に示すように、連結部２３ｃは、コンベア本体１５の外面（表面）１５ａと略平行に且つ当該外面１５ａから離間して配置されている。また、連結部２３ｃは、支持部１６からも離間して配置されている。連結部２３ｃは、上記規制部２５を構成している。言い換えれば、連結部２３ｃは規制部２５を兼ねている。尚、規制部２５の機能（作用）については、後程より詳しく説明する。
【００４５】
図８に示すように、連結部２３ｃ（規制部２５）は、四角形（長方形）の枠状に形成されている。具体的には、連結部２３ｃ（規制部２５）は、一方枠部２５Ｌと、他方枠部２５Ｒと、上枠部２５Ｕと、下枠部２５Ｄと、を有している。一方枠部２５Ｌは、コンベア９０の幅方向Ｄの一方側（左側）に配置されている。他方枠部２５Ｒは、コンベア９０の幅方向Ｄの他方側（右側）に配置されている。上枠部２５Ｕは、一方枠部２５Ｌの上部と他方枠部２５Ｒの上部とを連結している。下枠部２５Ｄは、一方枠部２５Ｌの下部と他方枠部２５Ｒの下部とを連結している。一方枠部２５Ｌ、他方枠部２５Ｒ、上枠部２５Ｕ、下枠部２５Ｄの夫々の内縁により、四角形（長方形）の開口部２９が形成されている。
【００４６】
尚、規制部２５は、後述する機能（作用）を発揮するためには、必ずしも４つの枠部（一方枠部２５Ｌ、他方枠部２５Ｒ、上枠部２５Ｕ、下枠部２５Ｄ）を全て有していなくともよい。例えば、規制部２５は、少なくとも一方枠部２５Ｌと他方枠部２５Ｒとを有しているもの、或いは、少なくとも上枠部２５Ｕと下枠部２５Ｄとを有しているものであればよい。
【００４７】
図９、図１０に示すように、保持部２４は、支持部１６との間に間隔をあけて配置されており、支持部１６との間で植付物Ｐを保持する。
保持部２４は、柔軟性を有するシートから構成されている。保持部２４を構成するシート（以下、「シート２４」という）は、当該シート２４を通して植付物Ｐが視認できるように、透明又は半透明であることが好ましい。シート２４の材質としては、例えば、軟質塩化ビニル樹脂やシリコーンゴム等が挙げられるが、これらの材質に限定はされない。シート２４の柔軟性の程度は、例えば、支持部１６との間で植付物Ｐを保持したときに、変形可能な程度の柔軟性に設定される。シート２４の柔軟性の程度は、シート２４の材質や厚さを選択することによって、適切な範囲に調整することができる。
【００４８】
シート２４は、長方形状であって、長辺がコンベア９０の搬送方向Ｅを向き、短辺がコンベア９０の幅方向Ｄを向いて配置されている。シート２４の長辺の長さは、開口部２９の搬送方向Ｅの長さＬ１よりも長く設定されている。シート２４の短辺の長さは、開口部２９の幅方向Ｄの長さＬ２よりも長く設定されている。開口部２９の下端部（長さＬ１方向の下端部）は、好ましくは第２スプロケット９ｂよりも下方に配置され、より好ましくは第２搬送部２２におけるコンベア９０の下端部よりも下方に配置される。これにより、植付物Ｐが植付部１０に供給される直前まで、保持部２４によって植付物Ｐを確実に保持することができる。
【００４９】
図９に示すように、シート２４は、支持部１６と連結部２３ｃ（規制部２５）との間に配置されており、開口部２９を内側（支持部１６側）から覆っている。但し、シート２４は、柔軟性を有するため、作業者が手で引っ張って変形させることで、開口部２９から第２カバー体２３の外部へと容易に取り出すことができる（図１０の矢印Ａ１及び仮想線２４を参照）。これにより、植付物の詰まりの解消や第２カバー体２３の内部の清掃等のメンテナンスを容易に行うことができる。
【００５０】
図８、図５Ａに示すように、シート２４の上端部は、第１カバー体１９の前連結部１９ｃ（フレーム１９ｃ）により構成される固定部に固定されており、当該上端部から垂れ下げられている。具体的には、シート２４の上端部は、押さえ板３０により押さえられ、当該押さえ板３０がボルト３１によりフレーム１９ｃに固定されている。ボルト３１は、シート２４を貫通してフレーム１９ｃに固定されている。
【００５１】
シート２４は、上端部のみが固定されている。そのため、シート２４の上端部（フレーム１９ｃに固定された部分）より下方の部分は、支持部１６側及び支持部１６と反対側に移動することができる。言い換えれば、シート２４は、当該シート２４の上端部から離れるにしたがって支持部１６からの離間距離が長くなるように変形する（湾曲する）。
第２搬送部２２において、植付物Ｐは、第１搬送部１４と同様に支持部１６に支持される。即ち、上述したように、第２搬送部２２と第１搬送部１４とは支持部１６の構成が同じであるため、第２搬送部２２においても、植付物Ｐは第２弾性体１７及び第１弾性体１８により支持された状態で搬送される。
【００５２】
第２搬送部２２において、支持部１６（第２弾性体１７及び第１弾性体１８）は、支持された植付物Ｐを弾性力（弾性反発力）によりシート２４に向けて押圧する。シート２４は、支持部１６からの押圧力（弾性反発力）を受けることにより、支持部１６から離れる方向（支持部１６と反対側）へと移動する（膨らむ）。しかし、この移動は、シート２４の周縁部が規制部２５の内面に当たることで規制される（図９参照）。即ち、規制部２５は、シート２４の支持部１６と反対側への移動量を規制する。これにより、植付物Ｐは、支持部１６とシート（保持部）２４との間で挟まれて保持される。言い換えれば、保持部２４は、植付物Ｐを支持部１６との間で挟んで保持する。
【００５３】
これにより、第２搬送部２２において、植付物Ｐは姿勢（向き）を維持した状態で保持部２４により保持されて上方から下方に向けて搬送される。また、保持部２４が柔軟性を有するシートから構成されており、支持部１６が弾性体から構成されているため、保持された植付物Ｐが傷付くことが防止できる。
図４、図１０に示すように、植付部１０は、コンベア９０の下方（第２搬送部２２の下方）に設けられている。植付部１０は、カバー１０ａと、取付部１０ｂと、傾斜面１０ｃと、を有している。
【００５４】
図１０に示すように、カバー１０ａは、前板１０Ｆ、後板１０Ｒ、左側板１０Ｌ、右側板（図示せず）を有している。カバー１０ａの前板１０Ｆ、後板１０Ｒ、左側板１０Ｌ、右側板により囲まれる内部空間Ｓ１は、第２搬送部２２の第２カバー体２３の内部空間Ｓ２（コンベア９０が配置された空間）と連通している。これにより、コンベア９０により第１搬送部１４及び第２搬送部２２を経て搬送されてきた植付物Ｐを、第２搬送部２２の終端（下端）からカバー１０ａの内部空間Ｓ１へと落下させることができる。カバー１０ａの下方は開放されている。
【００５５】
カバー１０ａの前部には、取付部１０ｂが設けられている。取付部１０ｂは、カバー１０ａの前部から上方に向けて突出している。取付部１０ｂは、下部フレーム７１の第３下部材７１３に設けられた筒体３２に挿入されてボルト（図示略）により固定されている。これにより、カバー１０ａは、下部フレーム７１に対して上下方向に移動可能に取り付けられ、地面からの高さを調整することが可能となる。
【００５６】
図１０に示すように、傾斜面１０ｃは、カバー１０ａの内部空間Ｓ１に設けられている。傾斜面１０ｃは、前方から後方に向かうにつれて下方に移行するように傾斜している。傾斜面１０ｃの上端部は、第２搬送部２２の支持部１６よりも前方且つ下方に位置している。第２搬送部２２の終端（下端）からカバー１０ａの内部空間Ｓ１に落下した植付物Ｐは、傾斜面１０ｃに向けて落下した後、傾斜面１０ｃに沿って地面に向けて滑り落ちる。即ち、傾斜面１０ｃは、コンベア９０により搬送されてきた植付物Ｐを地面に向けて滑り落とす面である。
【００５７】
植付物Ｐは、第２搬送部２２のコンベア９０から傾斜面１０ｃに落下する際に反転する。つまり、図１０に示すように、植付物Ｐは、コンベア９０により搬送される過程で内側（コンベア本体１５の外面１５ａ側）を向いていた部位Ｐ１が、傾斜面１０ｃに落下したときには外側（傾斜面１０ｃと反対側）を向き、そのまま傾斜面１０ｃに沿って滑り落ちる。そのため、植付物Ｐは、コンベア９０の内側を向いていた部位Ｐ１が上方を向いて地面（圃場）に植え付けられることとなる。そのため、例えば、植付物Ｐがウドの根株である場合、芽を下側（内側）に向けて第１搬送部１４のコンベア９０に供給（載置）することにより、芽が上を向いた状態で地面に植え付けることができる。
【００５８】
植付物Ｐは、第１搬送部１４において支持部１６により支持された状態で搬送された後、第２搬送部２２において支持部１６により支持され且つ保持部２４により保持された状態で搬送される。そのため、植付物Ｐは、第１搬送部１４への供給時に定められた向き（姿勢）を維持した状態で植付部１０まで搬送されて、植付部１０により植え付けられる。そのため、多数の植付物Ｐを連続的に供給した場合に、植付物Ｐの向きのばらつきを抑制して（向きを揃えて）植え付けることができる。
【００５９】
図２、図３に示すように、搬送部９の左方（機体幅方向の一方）には、搬送部９に供給される植付物を置くための載置台３３が設けられている。搬送部９の右方（機体幅方向の他方）には、作業者が座るための椅子３４が設けられている。
椅子３４の下部には、支持脚３５及び支持輪３６が設けられている。支持脚３５は、椅子３４の座部から下方に延びており、支持杆４３の後部に固定されている。支持脚３５の下部には、支持輪３６が取り付けられている。支持輪３６は、車輪８の外方（機体幅方向の外方）に配置されている。具体的には、支持輪３６は、右側の車輪８の右方に配置されている。支持輪３６は、走行時に接地して回転することにより、椅子３４に座った作業者の体重を支えるとともに、植付装置２の走行を補助する。
【００６０】
図２、図３に示すように、椅子３４と搬送部９との間には、足置き板３７が設けられている。足置き板３７は、下部フレーム７１により支持されている。椅子３４に座った作業者は、搬送部９の方を向いて、足置き板３７に足を置いた状態で作業をすることができる。
図３に示すように、足置き板３７とコンベア９０との間には、保護板３８が設けられている。保護板３８は、第３区間９０Ｃに位置するコンベア９０と足置き板３７との間を隔てている。これにより、椅子３４に座った作業者が足を伸ばしたときに、つま先などが回転するコンベア９０に巻き込まれることが防がれる。
【００６１】
図４に示すように、載置台３３は、中間フレーム７３の第２中間部材７３２と、下フレーム７１から上方に延びる前支柱３９及び後支柱４０により支持されている。前支柱３９は、中間フレーム７３の前方に配置されており、載置台３３の前部を支持している。後支柱４０は、中間フレーム７３の後方に配置されており、載置台３３の後部を支持している。第２中間部材７３２は、前支柱３９と後支柱４０との間で載置台３３を支持している。
【００６２】
図２、図３に示すように、載置台３３は、底板３３ａと、前板３３ｂと、後板３３ｃと、仕切り板３３ｄとを有している。底板３３ａは、平面視にて略長方形状に形成されている。底板３３ａの右縁部は、第１カバー体１９の第１側壁１９ａに当接している。底板３３ａの前縁部からは前板３３ｂが立ち上がっている。底板３３ａの後縁部からは後板３３ｃが立ち上がっている。
【００６３】
図２に示すように、底板３３ａは、第１底板３３１と第２底板３３２とを有している。第１底板３３１は、底板３３ａの搬送部９側（右側）に設けられており、搬送部９から離れるにつれて下方に移行するように傾斜している。第２底板３３２は、第１底板３３１と連続して設けられており、搬送部９から離れるにつれて上方に移行するように傾斜している。つまり、底板３３ａは後方から見てV字状に形成されている。これにより、底板３３ａは、第１底板３３１と第２底板３３２との境界部３３３が最も低くなっている。境界部３３３は、搬送部９の近傍に位置している。底板３３ａに載置された植付物は、傾斜に沿って滑り落ちることにより境界部３３３に集まる。そのため、植付物が自然に搬送部９の近傍に集まることとなるため、椅子３４に座った作業者の手が植付物に届きやすくなる。
【００６４】
仕切り板３３ｄは、第２底板３３２の上方に設けられ、前板３３ｂと後板３３ｃとの間に亘って前後方向に延びている。これにより、仕切り板３３ｄは、載置台３３上の載置スペースを機体幅方向に仕切っている。仕切り板３３ｄは、必要に応じて（例えば、載置台３３に載置される植付物の量に応じて）着脱することができる。
上述した如く椅子３４及び載置台３３が設けられていることにより、椅子３４に座った作業者の前方に搬送部９（第１搬送部１４、第２搬送部２２）が位置する。これにより、作業者は椅子３４に座った状態で、載置台３３に載置された植付物を手で取って、第１搬送部１４のコンベア９０に供給することができ、作業性に優れている。また、第２搬送部２２において植付物の詰まり等の不具合が発生した場合には、当該不具合を容易に発見することができ、迅速に不具合を解消することができる。
【００６５】
図１〜図３に示すように、載置台３３の前方には、予備載置台４１が設けられている。予備載置台４１は、予備の植付物、農業資材、作業用具等を載置するための台である。予備載置台４１は、連結部１１の取付杆１２ａにより下方から支持されている。予備載置台４１は、平面視長方形状の底板４１ａと、底板４１ａの周囲を囲う枠体４１ｂとを有している。予備載置台４１に予備の植付物を載置しておくことによって、植え付け作業中に載置台３３に載置された植付物が足りなくなった場合に、予備載置台４１に載置された植付物を載置台３３に移して、作業を迅速に継続することができる。
【００６６】
図３、図４に示すように、機体７の後部には、覆土板４２が取り付けられている。覆土板４２は、機体７の幅方向の一方側（左側）と他方側（右側）に取り付けられている。覆土板４２は、植付部１０の後方に位置している。これにより、植付装置２の走行に伴って、植付物が植付部１０により圃場に植え付けられた後、植え付けられた植付物に土を被せることができる。
【００６７】
図１１Ａは、支持部１６の第１変形例を示している。図１１Ａに示すように、支持部１６は、第１弾性体１８と、第２弾性体１７とを有している。第１弾性体１８は、上述した実施形態と同様に、第１隆起部１８Ａと第２隆起部１８Ｂとを有している。第１隆起部１８Ａは、第２弾性体１７Ａの外周を取り囲む円筒状に形成され、第２弾性体１７Ａに沿って搬送方向Ｅに移動可能（位置調整可能）である。第２隆起部１８Ｂは、第２弾性体１７Ｂの外周を取り囲む円筒状に形成され、第２弾性体１７Ｂに沿って搬送方向Ｅに移動可能（位置調整可能）である。つまり、第１弾性体１８は、移動体６０に沿って搬送方向Ｅに移動可能（位置調整可能）である。第１変形例における第１弾性体１８は、連結部１８Ｄを有しておらず、第１隆起部１８Ａと第２隆起部１８Ｂとの間には空隙が形成されている。第２弾性体１７は、上述した構成と同様であり、その他の構成も上述した構成と同様である。
【００６８】
図１２に示すように、第１変形例においても、植付物Ｐが供給されると、第１弾性体１８及び第２弾性体１７Ａ，１７Ｂは、植付物Ｐの重量を受けて押圧されて弾性変形し（凹み）、植付物Ｐはコンベア本体１５の上面１５ａに向けて下降する。そのため、植付物Ｐは、第１弾性体１８及び第２弾性体１７Ａ，１７Ｂの弾性力（変形状態から復元しようとする力）により、コンベア９０の幅方向Ｄの一方側と他方側から支持される。これにより、コンベア９０は、植付物Ｐを第２弾性体１７Ａ，１７Ｂ及び第１弾性体１８により支持した状態で搬送することができる。
【００６９】
図１１Ｂは、支持部１６の第２変形例を示している。図１１Ｂに示すように、支持部１６は、第１弾性体１８と、移動体６０とを有している。第１弾性体１８は、上述した実施形態と同様に、第１隆起部１８Ａと第２隆起部１８Ｂとを有している。第１隆起部１８Ａは、後述する移動体６０Ａの外周を取り囲む円筒状に形成され、移動体６０Ａに沿って搬送方向Ｅに移動可能（位置調整可能）である。第２隆起部１８Ｂは、後述する移動体６０Ｂの外周を取り囲む円筒状に形成され、移動体６０Ｂに沿って搬送方向Ｅに移動可能（位置調整可能）である。つまり、第１弾性体１８は、移動体６０に沿って搬送方向Ｅに移動可能（位置調整可能）である。
【００７０】
移動体６０は、第１弾性体１８をコンベア９０の搬送方向Ｅに移動させる部材であって、金属製のワイヤ等の非弾性体で構成されている。移動体６０は、コンベア９０の幅方向の一方側と他方側に夫々設けられており、コンベア９０の搬送方向Ｅに沿って延びている。移動体６０には、第１弾性体１８が取り付けられ、当該第１弾性体１７をコンベア９０の搬送方向Ｅに移動させる。以下、便宜上、前記一方側に設けられた移動体を「移動体６０Ａ」と記し、前記他方側に設けられた移動体を「移動体６０Ｂ」と記して詳しく説明する。
【００７１】
移動体６０Ａ，６０Ｂは、夫々ループ状であって、コンベア本体１５の外面に沿って巻き掛けられている。移動体６０Ａには、第１弾性体１８の一方側（第１隆起部１８Ａ）が巻きつけられることで取付けられ、移動体６０Ｂには、第１弾性体１８の他方側（第２隆起部１８Ｂ）が巻きつけられることにより取付けられ、当該移動体６０Ａ，６０Ｂによって、第１弾性体１８がコンベア９０の搬送方向Ｅに移動する。第２変形例において、その他の構成は上述した実施形態と同様である。
【００７２】
図１３は、支持部１６の第３変形例を示している。
図１３に示すように、支持部１６は、第１弾性体１８と、移動体６０とを有している。第１弾性体１８は、直方体（例えば、６面体）の弾性体であって、コンベア９０の搬送方向Ｅに沿って所定間隔で設けられている。即ち、第３変形例では、第１隆起部１８Ａ及び第２隆起部１８Ｂが円筒状ではなく、直方体である。
【００７３】
移動体６０は、第１弾性体１８（第１隆起部１８Ａ及び第２隆起部１８Ｂ）をコンベア９０の搬送方向Ｅに移動させる部材であって、金属製のブラケット等の非弾性体で構成されている。移動体６０は、コンベア９０の幅方向の一方側と他方側に夫々設けられ、且つ、コンベア９０の搬送方向に沿って所定間隔で設けられている。以下、便宜上、前記一方側に設けられた移動体を「移動体６０Ａ」と記し、前記他方側に設けられた移動体を「移動体６０Ｂ」と記して詳しく説明する。
【００７４】
移動体６０Ａには、第１隆起部１８Ａが取り付けられ、移動体６０Ｂには、第２隆起部１８Ｂが取り付けられている。また、移動体６０Ａ及び移動体６０Ｂはそれぞれコンベア本体１５に取付けられている。即ち、コンベア９０の幅方向の一方側に設けられた第１隆起部１８Ａと、コンベア９０の幅方向の他方側に設けられた第２隆起部１８Ｂとにそれぞれ対応して、移動体６０Ａ及び移動体６０Ｂが設けられている。したがって、第３変形例では、移動体６０Ａ及び移動体６０Ｂの移動に伴って、第１弾性体１８（第１隆起部１８Ａ及び第２隆起部１８Ｂ）に支持された植付物Ｐを搬送することができる。
【００７５】
図１４は、支持部１６の第４変形例を示している。図１４に示すように、支持部１６は、第２弾性体１７と、移動体６０とを有している。第２弾性体１７は、直方体（例えば、６面体）の弾性体であって、コンベア９０の搬送方向Ｅに沿って延びている。コンベア９０の幅方向の一方側に設けられた第２弾性体１７Ａと、コンベア９０の幅方向の他方側に設けられた第２弾性体１７Ｂとは、ゴム等から構成され、夫々ループ状である。第２弾性体１７Ａ，１７Ｂは、コンベア本体１５の外面に沿って巻き掛けられている。第２弾性体１７は、コンベア９０の幅方向の一方側と他方側との間に形成された空隙部１７Ｃを有している。即ち、第２弾性体１７Ａと第２弾性体１７Ｂとの間には空隙部１７Ｃが形成されている。
【００７６】
移動体６０は、第３変形例と同様に、コンベア９０の幅方向の一方側と他方側に夫々設けられ、且つ、コンベア９０の搬送方向Ｅに沿って所定間隔で設けられている。搬送方向Ｅに沿って配置された複数の移動体６０Ａには、第２弾性体１７Ａが連続して取り付けられ、搬送方向Ｅに沿って配置された複数の移動体６０Ａには、第２弾性体１７Ｂが連続して取り付けられている。また、移動体６０Ａ及び移動体６０Ｂはそれぞれコンベア本体１５に取付けられている。即ち、第２弾性体１７Ａと、第２弾性体１７Ｂとにそれぞれ対応して、移動体６０Ａ及び移動体６０Ｂが設けられている。したがって、第４変形例では、移動体６０Ａ及び移動体６０Ｂの移動に伴って、第２弾性体１７に支持された植付物Ｐを搬送することができる。
【００７７】
図１５Ａは、支持部１６の第５変形例を示している。図１５Ａに示すように、支持部１６は、第２弾性体１７と、移動体６０とを有している。第２弾性体１７は、コンベア９０の幅方向の一方側とコンベア９０の幅方向の他方側とに亘って設けられ且つコンベア９０の搬送方向Ｅに沿って延びている。第２弾性体１７は、第３隆起部１７Ｄと、第４隆起部１７Ｅと、連結部１７Ｆとを有している。第３隆起部１７Ｄは、コンベア９０の幅方向の一方側において搬送方向Ｅに延びたループ状であって当該一方側で隆起している。第４隆起部１７Ｅは、コンベア９０の幅方向の他方側において搬送方向Ｅに延びたループ状であって当該他方側で隆起している。第３隆起部１７Ｄ及び第４隆起部１７Ｅは、円筒状であって内部に移動体６０が設けられている。
【００７８】
連結部１７Ｆは、コンベア９０の搬送方向Ｅに延びたループ状であって第３隆起部１７Ｄと第４隆起部１７Ｅとを連結している。第３隆起部１７Ｄと第４隆起部１７Ｅとの間には、第３隆起部１７Ｄ及び第４隆起部１７Ｅよりも高さが低い凹み部１７Ｇが形成されている。
移動体６０は、第２弾性体１７をコンベア９０の搬送方向Ｅに移動させる部材であって、金属製のワイヤ等の非弾性体で構成されている。移動体６０は、コンベア９０の幅方向の一方側と他方側に夫々設けられており、コンベア９０の搬送方向Ｅに沿って延びている。
【００７９】
移動体６０Ａ，６０Ｂは、夫々ループ状であって、コンベア本体１５の外面に沿って巻き掛けられている。移動体６０Ａには、第２弾性体１７の一方側（第３隆起部１７Ｄ）が取り付けられ、移動体６０Ｂには、第２弾性体１７の他方側（第４隆起部１７Ｅ）が取り付けられている。したがって、第５変形例では、移動体６０Ａ及び移動体６０Ｂの移動に伴って、第２弾性体１７（第３隆起部１７Ｄ、第４隆起部１７Ｅ及び連結部１７Ｆ）を移動させることができる。
【００８０】
図１５Ｂは、支持部１６の第６変形例を示している。支持部１６は、第２弾性体１７を有している。第２弾性体１７は、コンベア９０の幅方向の一方側でコンベア９０の搬送方向Ｅに沿って延びるループ状の第２弾性体１７Ａと、コンベア９０の幅方向の他方側でコンベア９０の搬送方向Ｅに沿って延びるループ状の第２弾性体１７Ｂとを含んでいる。第２弾性体１７Ａ及び第２弾性体１７Ｂは、コンベア９０のスプロケット等に巻きつけられ、スプロケットの回転により移動可能である。第２弾性体１７は、コンベア９０の幅方向の一方側と他方側との間に形成された空隙部１７Ｃを有している。即ち、第２弾性体１７において、第２弾性体１７Ａと第２弾性体１７Ｂとの間には空隙部１７Ｃが形成されている。第２弾性体１７Ａはコンベア９０の幅方向Ｄの外側（第２弾性体１７Ｂと反対側）に湾曲可能である。第２弾性体１７Ｂはコンベア９０の幅方向Ｄの外側（第２弾性体１７Ａと反対側）に湾曲可能である。即ち、第２弾性体１７Ａと第２弾性体１７Ｂとの間に植付物Ｐを供給した場合、植付物Ｐにより第２弾性体１７Ａと第２弾性体１７Ｂとの間隔を押し広げることができ、且つ、押し広げられた第２弾性体１７Ａと第２弾性体１７Ｂとが元の位置に戻ろうとする力（復元力）により植付物Ｐをコンベア９０の幅方向Ｄの一方側と他方側から支持することが可能である。
【００８１】
以上、本発明について説明したが、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【符号の説明】
【００８２】
２      植付装置
１０    植付部
１６    支持部
１７    第２弾性体
１７Ｃ  空隙部
１８    第１弾性体
１８Ａ  第１隆起部
１８Ｂ  第２隆起部
１８Ｄ  連結部
１９ａ  第１側壁
１９ｂ  第２側壁
２０    区画板
６０    移動体
９０    コンベア
Ｐ      植付物
Ｒ      区画
【図１】
2018102190.tif 000003
【図２】
2018102190.tif 000004
【図３】
2018102190.tif 000005
【図４】
2018102190.tif 000006
【図５Ａ】
2018102190.tif 000007
【図５Ｂ】
2018102190.tif 000008
【図６】
2018102190.tif 000009
【図７】
2018102190.tif 000010
【図８】
2018102190.tif 000011
【図９】
2018102190.tif 000012
【図１０】
2018102190.tif 000013
【図１１Ａ】
2018102190.tif 000014
【図１１Ｂ】
2018102190.tif 000015
【図１２】
2018102190.tif 000016
【図１３】
2018102190.tif 000017
【図１４】
2018102190.tif 000018
【図１５Ａ】
2018102190.tif 000019
【図１５Ｂ】
2018102190.tif 000020